(57)【要約】【課題】  点検作業の省力化が図り、さらに交換製品の型名が容易に分かる誘導灯装置を提供することである。【解決手段】  点検員は点検にあたりリモコン端末から疑似停電指令を送受信回路に送信する。演算制御装置は、送受信回路を介してリモコン端末から疑似停電指令を入力したときは、ランプ点灯回路の動作を停止させ、バッテリ回路を動作させて非常点灯モードとする。所定時間経過後のバッテリ電圧およびランプ点灯状況を検出し記憶装置に記憶させる。そして、リモコン端末から復帰指令を入力したときまたは自動でランプ点灯回路を動作させて通常点灯モードに復帰させる。また、リモコン端末からの読み出し指令を送受信回路で受信したときは、演算制御装置で検出されたバッテリ電圧およびランプ点灯状況を送受信回路を介してリモコン端末に読み出す。【選択図】図１
2011091053.tif 000002
【特許請求の範囲】
【請求項１】
商用電源からの電源が入力される整流回路と；
商用電源の通常時に、整流回路から出力された電源をトランスを介してランプに供給してランプを点灯させるランプ点灯回路と；  商用電源の通常時に、整流回路から出力された電源をトランスを介してバッテリに蓄電し、商用電源の停電時に、バッテリからの電源をランプに供給してランプを点灯させるバッテリ回路と；  リモコン端末からデータの受信を行う受信回路と；  受信回路を介してリモコン端末から入力される指令や信号に基づき、指令や信号の内容に応じて各種処理を行う演算制御装置と；  演算制御装置が行った各種処理の結果を記憶するための記憶装置と；
整流回路とトランスとの間に設けられ、演算制御装置からの制御指令に基づいて制御され、ランプ点灯回路およびバッテリ回路を制御する発振制御部と；
を備えることを特徴とする誘導灯装置。
【請求項２】
演算制御装置は、
受信回路を介してリモコン端末から疑似停電指令を入力したとき、ランプ点灯回路の動作を停止させ、バッテリ回路を動作させて非常点灯モードとし、所定時間経過後のバッテリ電圧およびランプ点灯状況を検出し、リモコン端末から復帰指令を入力したとき、バッテリ回路の動作を停止させ、ランプ点灯回路を動作させて通常点灯モードとする処理、または、
受信回路を介してリモコン端末から疑似停電指令を入力したとき、ランプ点灯回路の動作を停止させ、バッテリ回路を動作させて非常点灯モードとし、所定時間経過後のバッテリ電圧およびランプ点灯状況を検出し、記憶装置にバッテリ電圧およびランプ点灯状況を記憶し、かつ、バッテリ回路の動作を停止させ、ランプ点灯回路を動作させて通常点灯モードとする処理、または、
受信回路を介してリモコン端末から疑似停電指令を入力したとき、ランプ点灯回路の動作を停止させ、バッテリ回路を動作させて非常点灯モードとし、所定時間経過後非常点灯モードから、バッテリ回路の動作を停止させランプ点灯回路を動作させて通常点灯モードに自動復帰させる処理のうちいずれか一つの処理を行うことを特徴とする請求項１に記載の誘導灯装置。
【請求項３】
演算制御装置は、受信回路を介してリモコン端末から疑似停電指令を入力したとき、ランプ点灯回路の動作を停止させ、バッテリ回路を動作させて非常点灯モードとし、所定時間経過前に受信回路を介してリモコン端末からリセット信号が入力されると、バッテリ回路の動作を停止させランプ点灯回路を動作させて通常点灯モードとする処理を行うことを特徴とする請求項１または２に記載の誘導灯装置。
【請求項４】
受信回路は、リモコン端末にデータを送信する送受信回路を有し、
演算制御装置は、リモコン端末からの読み出し指令があったとき、記憶装置に記憶したバッテリ電圧およびランプ点灯状況を送受信回路からリモコン端末に送信することを特徴とする請求項１ないし３いずれか一記載の誘導灯装置。
【請求項５】
受信回路は、リモコン端末にデータを送信する送受信回路を有し、
記憶装置に予め使用部品情報を記憶しておくと共に、演算制御装置はバッテリおよびランプの積算使用時間を記憶装置に記憶し、演算制御装置は、リモコン端末からの読み出し指令があったとき、記憶装置に予め記憶しておいた使用部品情報、またはバッテリおよびランプの積算使用時間を送受信回路からリモコン端末に送信することを特徴とする請求項１ないし３いずれか一記載の誘導灯装置。
【発明の詳細な説明】
【技術分野】
【０００１】
本発明は、例えば、ビルの通路や部屋に配置され非常時にビル内の人を非常口に導くための誘導灯装置に関する。
【背景技術】
【０００２】
例えば、ビルの通路や部屋には誘導灯装置が設置され、火災や地震等の非常時にビル内の人を外部に誘導できるようにしている。従って、誘導灯装置は停電時においてもランプが点灯するようにバッテリ回路を有している。すなわち、誘導灯装置は通常時は商用電源でランプを点灯すると共にバッテリ回路のバッテリに充電し、商用電源が停電となったときにはバッテリ回路からランプに電源を供給してランプを点灯するようにしている。これにより、停電時においても人の誘導が適切にできるようにしている。
【０００３】
このように、誘導灯装置においては、バッテリ回路のバッテリが重要な位置を占めており、バッテリが正常かどうかを定期的にチェックする必要がある。従来においては、誘導灯装置のランプ点灯回路のスイッチを強制的に開いてランプ点灯回路を停止させ、バッテリ回路から正常にランプに電源が供給されるかどうかを確認するようにしている。
【０００４】
すなわち、バッテリの放電に伴いバッテリ電圧は低下していくが、所定の時間経過後においても、バッテリ電圧が放電基準電圧を維持しているかどうかでバッテリの健全性を確認することとしている。バッテリ電圧が放電基準電圧未満になったときは、発光ダイオードＬＥＤを点滅させる。そして、所定時間の経過前に発光ダイオードＬＥＤが点滅したときはバッテリの交換等の措置をとることになる。この場合、ランプについてもランプの点灯状況を判断して交換等の措置をとるようにしている。
【発明の概要】
【発明が解決しようとする課題】
【０００５】
ところが、このバッテリの点検は、バッテリの放電特性が正常かどうかで判断するようにしているので、スイッチを強制的に開いてから所定の時間（例えば２０分間）が経過するまで継続して行う必要がある。ランプ点灯回路のスイッチは、通常状態では閉じた状態を維持するような構造となっているので、バッテリの点検中においてはスイッチを開いた状態に強制的に保持しておかなければならない。そして、点検が終了した後においてはスイッチを元の状態に戻す必要ある。このようなことから、点検員は、１台の誘導灯装置の点検につき所定時間（２０分間）だけ付きっきりになり、その点検作業が点検員の負担になっている。
【０００６】
また、点検によりバッテリやランプを交換する必要があると判断された場合には、その誘導灯装置に適合するバッテリやランプの製品型名が必要であるが、一般に、誘導灯装置は高所に取り付けられているので、その製品型名を確認するための作業が必要となる。製品型名を確認するには、例えば誘導灯装置の筐体のカバーを外し、筐体内に収納されたトランスやランプを直接確認することになる。
【０００７】
本発明の目的は、点検作業の省力化が図り、さらに交換製品の型名が容易に分かる誘導灯装置を提供することである。
【課題を解決するための手段】
【０００８】
請求項１の発明に係わる誘導灯装置は、商用電源からの電源が入力される整流回路と；商用電源の通常時に、整流回路から出力された電源をトランスを介してランプに供給してランプを点灯させるランプ点灯回路と；商用電源の通常時に、整流回路から出力された電源をトランスを介してバッテリに蓄電し、商用電源の停電時に、バッテリからの電源をランプに供給してランプを点灯させるバッテリ回路と；リモコン端末からデータの受信を行う受信回路と；受信回路を介してリモコン端末から入力される指令や信号に基づき、指令や信号の内容に応じて各種処理を行う演算制御装置と；演算制御装置が行った各種処理の結果を記憶するための記憶装置と；整流回路とトランスとの間に設けられ、演算制御装置からの制御指令に基づいて制御され、ランプ点灯回路およびバッテリ回路を制御する発振制御部と；を備えることを特徴とする。
【０００９】
本発明及び以下の発明において、特に指定しない限り用語の定義及び技術的意味は以下による。
【００１０】
ランプ点灯回路は、商用電源からの交流電源を使用してランプに供給する回路であり、通常時に動作状態にありランプを点灯する。通常点灯モードとは、ランプ点灯回路によりランプが点灯されているモードを言う。
【００１１】
バッテリ回路は、通常時には商用電源からの交流電源を一旦直流に変換し、変換された直流を蓄電するものである。そして、商用電源が停電となったときバッテリからの直流電源をランプに供給する。非常点灯モードとは、バッテリからの直流電源でランプが点灯されているモードを言う。
【００１２】
リモコン端末は、例えば赤外線等により指令や信号を出力するものであり、指令には、疑似停電指令、復帰指令、読み出し指令などがあり、信号にはリセット信号がある。これら指令や信号は誘導灯装置の筐体またはユニット内に配置された受信回路または送受信回路により受信され、ランプ点灯回路およびバッテリ回路を制御する演算制御装置に入力される。
【００１３】
演算制御装置は、例えばマイクロコンピュータで構成され、例えば、リモコン端末から疑似停電指令を入力したときは、ランプ点灯回路の動作を停止させると共に、バッテリ回路からランプに電源が供給されるように制御する。
【００１４】
請求項２の発明に係わる誘導灯装置は、請求項１の発明において、演算制御装置は、受信回路を介してリモコン端末から疑似停電指令を入力したとき、ランプ点灯回路の動作を停止させ、バッテリ回路を動作させて非常点灯モードとし、所定時間経過後のバッテリ電圧およびランプ点灯状況を検出し、リモコン端末から復帰指令を入力したとき、バッテリ回路の動作を停止させ、ランプ点灯回路を動作させて通常点灯モードとする処理、または、受信回路を介してリモコン端末から疑似停電指令を入力したとき、ランプ点灯回路の動作を停止させ、バッテリ回路を動作させて非常点灯モードとし、所定時間経過後のバッテリ電圧およびランプ点灯状況を検出し、記憶装置にバッテリ電圧およびランプ点灯状況を記憶し、かつ、バッテリ回路の動作を停止させ、ランプ点灯回路を動作させて通常点灯モードとする処理、または、受信回路を介してリモコン端末から疑似停電指令を入力したとき、ランプ点灯回路の動作を停止させ、バッテリ回路を動作させて非常点灯モードとし、所定時間経過後非常点灯モードから、バッテリ回路の動作を停止させランプ点灯回路を動作させて通常点灯モードに自動復帰させる処理のうちいずれか一つの処理を行うことを特徴とする。
【００１５】
本発明は、実際には商用電源は停電していないがランプ点灯回路の動作を停止させ、擬似的に停電状態として、バッテリからの直流電源でランプが点灯される非常点灯モードとする。そして、所定時間の経過後、例えば２０分経過後に、バッテリ電圧およびランプ点灯状況を検出し、その検出結果を記憶装置に記憶する。また、リモコン端末から復帰指令またはリセット信号を入力したときは、ランプ点灯回路を動作させて通常点灯モードとする。
【００１６】
また、本発明は、リモコン端末からの復帰指令を待つことなく、所定時間が経過したときはランプ点灯回路を自動的に動作させて通常点灯モードに復帰させるようにしたものである。
【００１７】
本発明によれば、リモコン端末からの疑似停電指令により演算制御装置が自動的に非常点灯モードとし、所定時間経過後のバッテリ電圧およびランプ点灯状況を検出するので、バッテリの点検中においてはスイッチを開いた状態に強制的に保持しておく必要がない。従って、点検作業が簡素化できる。
【００１８】
また、本発明によれば、自動的に通常点灯モードに復帰させるので、点検が終了した後においてスイッチを元の状態に戻す必要がなく、また、誤って疑似停電の状態を継続することがなくなる。
【００１９】
請求項３の発明に係わる誘導灯装置は、請求項１または２の発明において、演算制御装置は、受信回路を介してリモコン端末から疑似停電指令を入力したとき、ランプ点灯回路の動作を停止させ、バッテリ回路を動作させて非常点灯モードとし、所定時間経過前に受信回路を介してリモコン端末からリセット信号が入力されると、バッテリ回路の動作を停止させランプ点灯回路を動作させて通常点灯モードとする処理を行うことを特徴とする。
【００２０】
本発明は、演算制御装置は、受信回路を介してリモコン端末から疑似停電指令を入力したとき、ランプ点灯回路の動作を停止させ、バッテリ回路を動作させて非常点灯モードとし、所定時間経過前に受信回路を介してリモコン端末からリセット信号が入力されると、バッテリ回路の動作を停止させランプ点灯回路を動作させて通常点灯モードとするので、リセット信号がある場合には演算制御装置は所定時間経過前であっても非常点灯モードから通常点灯モードに戻すことができる。
【００２１】
請求項４の発明に係わる誘導灯装置は、前記演算制御装置は、請求項１ないし３いずれか一の発明において、受信回路は、リモコン端末にデータを送信する送受信回路を有し、演算制御装置は、リモコン端末からの読み出し指令があったとき、記憶装置に記憶したバッテリ電圧およびランプ点灯状況を送受信回路からリモコン端末に送信することを特徴とする。
【００２２】
本発明は、記憶装置に記憶したバッテリ電圧およびランプ点灯状況をリモコン端末で受信できるようにしたものであり、これにより、バッテリやランプの寿命を点検員が容易に取得できる。
【００２３】
請求項５の発明に係わる誘導灯装置は、請求項１ないし３いずれか一の発明において、受信回路は、リモコン端末にデータを送信する送受信回路を有し、記憶装置に予め使用部品情報を記憶しておくと共に、演算制御装置はバッテリおよびランプの積算使用時間を記憶装置に記憶し、演算制御装置は、リモコン端末からの読み出し指令があったとき、記憶装置に予め記憶しておいた使用部品情報、またはバッテリおよびランプの積算使用時間を送受信回路からリモコン端末に送信することを特徴とする。
【００２４】
本発明は、バッテリ電圧およびランプ点灯状況だけでなく、使用部品情報やバッテリおよびランプの積算使用時間も取得する。これにより、交換部品の製品型名が容易に確認でき、また部品の交換時期も容易に判断できるので適切に部品の交換が行える。
【発明の効果】
【００２５】
請求項１の発明によれば、商用電源からの電源が入力される整流回路と；商用電源の通常時に、整流回路から出力された電源をトランスを介してランプに供給してランプを点灯させるランプ点灯回路と；商用電源の通常時に、整流回路から出力された電源をトランスを介してバッテリに蓄電し、商用電源の停電時に、バッテリからの電源をランプに供給してランプを点灯させるバッテリ回路と；リモコン端末からデータの受信を行う受信回路と；受信回路を介してリモコン端末から入力される指令や信号に基づき、指令や信号の内容に応じて各種処理を行う演算制御装置と；演算制御装置が行った各種処理の結果を記憶するための記憶装置と；整流回路とトランスとの間に設けられ、演算制御装置からの制御指令に基づいて制御され、ランプ点灯回路およびバッテリ回路を制御する発振制御部と；を備えるので、発振制御部は受信回路を介してリモコン端末から入力される指令や信号に基づいた演算制御装置からの制御指令に基づいてランプ点灯回路およびバッテリ回路を制御することができる。
【００２６】
請求項２の発明によれば、リモコン端末からの疑似停電指令により演算制御装置が自動的に非常点灯モードとし、所定時間経過後のバッテリ電圧およびランプ点灯状況を検出するので、バッテリの点検中においてはスイッチを開いた状態に強制的に保持しておく必要がない。従って、点検作業が簡素化できる。また、自動的に通常点灯モードに復帰させるので、点検が終了した後においてスイッチを元の状態に戻す必要がなく、また、誤って疑似停電の状態を継続することがなくなる。
【００２７】
請求項３の発明によれば、演算制御装置は、受信回路を介してリモコン端末から疑似停電指令を入力したとき、ランプ点灯回路の動作を停止させ、バッテリ回路を動作させて非常点灯モードとし、所定時間経過前に受信回路を介してリモコン端末からリセット信号が入力されると、バッテリ回路の動作を停止させランプ点灯回路を動作させて通常点灯モードとするので、リセット信号がある場合には演算制御装置は所定時間経過前であっても非常点灯モードから通常点灯モードに戻すことができる。
【００２８】
請求項４の発明によれば、記憶装置に記憶したバッテリ電圧およびランプ点灯状況をリモコン端末で受信できるようにしたので、バッテリやランプの寿命を点検員が容易に取得できる。
【００２９】
請求項５の発明によれば、バッテリ電圧およびランプ点灯状況だけでなく、使用部品情報やバッテリおよびランプの積算使用時間も取得するので、交換部品の製品型名が容易に確認でき、また部品の交換時期も容易に判断できるので適切に部品の交換が行える。
【図面の簡単な説明】
【００３０】
【図１】本発明の実施の形態に係わる誘導灯装置の回路構成図。
【図２】本発明の実施の形態に係わる誘導灯装置のバッテリの健全性を判定するための説明図。
【図３】本発明の実施の形態に係わる演算制御装置の演算処理内容を示すフローチャート。
【図４】本発明の実施の形態に係わる演算制御装置の他の一例の演算処理内容を示すフローチャート。
【図５】本発明の実施の形態に係わる誘導灯装置の分解斜視図。
【発明を実施するための形態】
【００３１】
以下、本発明の実施の形態を説明する。図１は本発明の実施の形態に係わる誘導灯装置の回路構成図である。
【００３２】
商用電源１１からの電源は整流回路１２に入力され、トランス１３を介してランプ点灯回路１４およびバッテリ回路１５に入力される。ランプ点灯回路１４は発振制御部１６により制御され、トランス１３を介して入力された電力をインバータ回路１７で高周波電力に変換してランプ１８に点灯電力を供給する。また、発振制御部１６は、演算制御装置１９からの制御指令に基づいて制御され、通常点灯モードのときにランプ点灯回路１４によりランプ１８を高周波点灯させる。
【００３３】
一方、バッテリ回路１５は、商用電源１１の停電時にバッテリ２０からの電源をインバータ回路１７を介してランプ１８に供給してランプを点灯させるものであり、通常運転モードのときには、トランス１３からの電力をバッテリ２０に充電している。そして、商用電源１１が停電したときには、演算制御装置１９は、バッテリ回路１５に動作指令を出力してバッテリ２０の充電電力をインバータ回路１７に供給させる。これにより、商用電源１１の停電時にはバッテリ２０からの充電電力がインバータ回路１７で高周波変換されてランプ１８に供給される。これにより、商用電源１１が停電した場合であっても誘導灯装置のランプ１８の点灯を継続できるようにしている。
【００３４】
送受信回路２１は、外部のリモコン端末２２とデータの送受信を行うものである。リモコン端末２２は誘導灯装置の点検員が所持し、点検対象の誘導灯装置に対して点検員がリモコン端末２２から疑似停電させるための疑似停電指令や疑似停電を復帰させる復帰指令、さらには疑似停電させた場合のバッテリ電圧やランプ点灯状況のデータの読み出し指令等を送受信回路２１に対して送信する。演算制御装置１９は送受信回路２１を介してリモコン端末２２からの指令を入力すると、指令の内容に応じて各種処理を行う。
【００３５】
送受信回路２１を介してリモコン端末２２から疑似停電指令を入力したときは、演算制御装置１９は、発振制御部１６に対してランプ点灯回路１４の動作を停止させる停止指令を出力すると共に、バッテリ回路１５に対してバッテリ２０からインバータ回路１７に充電電力を供給するように動作指令を出力する。これにより、ランプ点灯回路１４の動作を停止させて疑似停電状態とし、バッテリ２０からインバータ回路１７に充電電力を供給する非常点灯モードとする。そして、所定時間経過後のバッテリ電圧およびランプ点灯状況を検出し、その検出結果を記憶装置２３に記憶する。
【００３６】
図２は、バッテリ２０の健全性を判定するための説明図である。バッテリ２０は通常点灯モードのときは商用電源からの電力を充電をしている。いま、時点ｔ１で疑似停電指令がありランプ点灯回路１４の動作が停止し、バッテリ２０からインバータ回路１７に放電が開始されたとする。
【００３７】
図２に示すように、バッテリ２０は放電が開始された直後にはそのバッテリ電圧Ｖが低下し、その後の所定期間はほぼ一定電圧となる特性を有する。そして、充電電力がなくなったときにバッテリ電圧Ｖは急激に低下する。バッテリ２０が健全である場合には、所定期間Ｔ（例えば２０分間）の間は、一定電圧はバッテリ基準電位Ｖ０を超えた状態を維持する。そこで、演算制御装置１９は疑似停電指令から所定期間Ｔの間のバッテリ電圧Ｖを監視し、所定時間Ｔ（例えば２０分間）の経過後の時点ｔ２のバッテリ電圧Ｖを検出する。同様に、そのときのランプ電流も検出し、検出した値を記憶装置２３に記憶する。
【００３８】
なお、図１では図示を省略しているが、所定期間Ｔ（例えば２０分間）が経過する前に、バッテリ電圧Ｖがバッテリ基準電位Ｖ０未満となった場合には、発光ダイオードＬＥＤを点滅表示してバッテリ２０が健全でないことを点検員に報知するようにしている。また、ランプ電流についても同様に、ランプ１８を点灯するのに必要な電流が流れていない場合にはランプ電流が健全でないことを点検員に報知するようにしている。
【００３９】
次に、演算制御装置１９は、送受信回路２１を介してリモコン端末２２から復帰指令を入力したときは、発振制御部１６に対して動作指令を出力してランプ点灯回路１４を動作させると共に、バッテリ回路１５に停止指令を出力してバッテリ２０の放電を停止させ、非常点灯モードから通常点灯モードに復帰させる。なお、非常点灯モードから通常点灯モードへの復帰は、点検員からの復帰指令によらず自動的に復帰させることも可能である。この場合には、所定時間Ｔ（例えば２０分間）の経過後にバッテリ電圧Ｖおよびランプ点灯状況（ランプ電流）の検出が行われた後に、演算制御装置１９により自動的に復帰動作を行うようにする。
【００４０】
次に、記憶装置２３には、予め使用部品情報が記憶されており、演算制御装置１９で検出されたバッテリ電圧Ｖおよびランプ点灯状況（ランプ電流）を記憶すると共に、演算制御装置１９で演算されたバッテリ２０およびランプ１８の積算使用時間も記憶される。
【００４１】
これら記憶装置２３に記憶されたデータは、リモコン端末２２からの読み出し指令によりリモコン端末２２に読み出される。すなわち、演算制御装置１９は送受信回路２１を介してリモコン端末２２から読み出し指令があったときは、記憶装置２３に予め記憶しておいた使用部品情報、またはバッテリ２０およびランプ１８の積算使用時間を送受信回路２１を介してリモコン端末２２に送信する。これにより、交換部品の製品型名が容易に確認でき、また部品の交換時期も容易に判断できる。なお、以上の説明では、記憶装置２３に記憶されたデータをリモコン端末２２で読み出すようにしたが、リモコン端末２２ではなく別の装置で読み出すようにしても良い。
【００４２】
図３は、本発明の実施の形態に係わる演算制御装置１９の演算処理内容を示すフローチャートであり、非常点灯モードから通常点灯モードへの復帰動作を点検員からの復帰指令で行うようにし、また、記憶装置２３からのデータの読み出しはリモコン端末２２に限らず別の装置で読み出すようにしても良い場合を示している。
【００４３】
まず、演算制御装置１９は送受信回路２１を介してリモコン端末２２からの疑似停電指令があるかどうかを判断する（Ｓ１）。疑似停電指令がある場合には、発振制御部１６に対してランプ点灯回路１４の動作を停止させる停止指令を出力すると共に、バッテリ回路１５に対してバッテリ２０からインバータ回路１７に充電電力を供給するように動作指令を出力し、バッテリ２０からインバータ回路１７に充電電力を供給する非常点灯モードとする（Ｓ２）。そして、所定時間（例えば２０分間）が経過するのを待つことになるが、この間に点検員が途中で点検を止める場合にはリモコン端末２２からリセット信号が送信されることになる。
【００４４】
そこで、リセット信号があるかどうかを判定し（Ｓ３）、リセット信号がある場合には演算制御装置１９は非常点灯モードから通常点灯モードに戻す（Ｓ４）。一方、リセット信号がない場合には、所定時間経過後にバッテリ電圧およびランプ点灯状況を検出し（Ｓ５）、検出した結果を記憶装置２３に記憶する。そして、点検員からリモコン端末２２により復帰指令があるか否かを判定し（Ｓ６）、復帰指令があった場合には非常点灯モードから通常点灯モードに戻す（Ｓ７）。これにより点検は終了することになる。なお、記憶装置２３に記憶されたデータは、リモコン端末装置２１以外の各種読み出し装置で読み出しても良いし、リモコン端末２２で読み出すようにしても良い。
【００４５】
次に、図４は、本発明の実施の形態に係わる演算制御装置１９の他の一例の演算処理内容を示すフローチャートであり、非常点灯モードから通常点灯モードへの復帰動作を自動で行うようにし、また、記憶装置２３からのデータの読み出しはリモコン端末２２で行うようにしたものである。
【００４６】
図２に示した場合と同様に、演算制御装置１９は送受信回路２１を介してリモコン端末２２からの疑似停電指令があるかどうかを判断し（Ｓ１）、疑似停電指令がある場合には、バッテリ２０からインバータ回路１７に充電電力を供給する非常点灯モードとする（Ｓ２）。そして、所定時間（例えば２０分間）が経過するのを待つ。この間に点検員が途中で点検を止めるリセット信号があるかどうかを判定し（Ｓ３）、リセット信号がある場合には演算制御装置１９は非常点灯モードから通常点灯モードに戻す（Ｓ４）。
【００４７】
一方、リセット信号がない場合には、所定時間経過後にバッテリ電圧およびランプ点灯状況を検出し（Ｓ５）、検出した結果を記憶装置２３に記憶する。そして、その後に演算制御装置１９は非常点灯モードから通常点灯モードに戻す（Ｓ６）。また、点検員からのリモコン端末２２を介した読み出し指令があるか否かを判定し（Ｓ７）、読み出し指令がある場合には、バッテリ電圧およびバッテリ点灯状況のデータをリモコン端末２２に送信する（Ｓ８）。この場合、バッテリ電圧およびランプ点灯状況だけでなく、使用部品情報やバッテリ２０およびランプ１８の積算使用時間を送信するようにしても良い。
【００４８】
点検員は、点検と同時にリモコン端末２２に、バッテリ電圧およびランプ点灯状況を取得できるので点検作業性が向上し、また、使用部品情報やバッテリ２０およびランプ１８の積算使用時間を取得できるので部品交換の判断も適正に行うことができる。また、通常点灯モードへの復帰が自動的に行われるので、非常点灯モードのまま点検作業が終了すると言う事態を防止できる。
【００４９】
図５は、本発明の実施の形態に係わる誘導灯装置の分解斜視図である。樹脂製の筐体２５には、整流器１２、ランプ点灯回路１４、インバータ回路１７、演算制御装置１９、記憶装置２３等が点灯ユニット２６として収納され、その下部にはバッテリ回路１５が収納されている。そして、送受信回路２１は筐体２５の底部に配置されている。
【００５０】
筐体２５の開口部には、その開口部を閉塞する大きさの前面板２７が設けられ、この前面板２７には表示パネル２８が取り付けられている。この表示パネル２８には誘導表示であるピクトグラムが表示されている。そして、前面板２７の上部にはランプ１８が取り付けられ表示パネルを背面から照明するようになっている。
【００５１】
このように、リモコン端末２２と送受信を行う送受信回路２１は、誘導灯装置の筐体２５の底部に配置したので、リモコン端末２２との送受信もし易くなり、ランプ１８の点灯による雑音の影響も軽減できる。
【符号の説明】
【００５２】
１１…商用電源
１２…整流回路
１３…トランス
１４…ランプ点灯回路
１５…バッテリ回路
１６…発振制御部
１８…ランプ
１９…演算制御装置
２０…バッテリ
２１…送受信回路
２２…リモコン端末
２３…記憶装置
【図１】
2011091053.tif 000003
【図２】
2011091053.tif 000004
【図３】
2011091053.tif 000005
【図４】
2011091053.tif 000006
【図５】
2011091053.tif 000007